(57)【特許請求の範囲】
【請求項１】
複数のタンブラを収容可能な内筒、該内筒の一端に設けた内筒キャップ、および前記内筒の他端に設けた内筒ボトム、をユニット化した内筒アッシィと、
該内筒アッシィに外挿される外筒と、を有するレバータンブラ式シリンダ錠であって、
前記内筒キャップに外挿され、該内筒キャップと前記外筒との間で相対回動可能な内筒ヘッドと、
前記内筒ボトムに対して相対回動可能な内筒テールと、
前記内筒ヘッドの前記内筒アッシィに対する連結を断接する第１断接手段と、
前記内筒テールの前記内筒アッシィに対する連結を断接する第２断接手段と、を備え、
入居者の子キーによる通常状態では、前記内筒アッシィと前記内筒テールとが、管理者のメモリーキーによる変換状態では、前記内筒アッシィのみが、および工事業者のコンスキーによるコンス状態では、前記内筒アッシィと前記内筒ヘッドと前記内筒テールとが、それぞれ回動しうるように構成されたことを特徴とする、
レバータンブラ式シリンダ錠。
【請求項２】
前記第１断接手段は、
前記内筒アッシィに設けた第１挿通孔と、該第１挿通孔にスライド可能に収容した内ピンと、前記内筒ヘッドに設けた第２挿通孔と、該第２挿通孔にスライド可能に収容した外ピンと、前記外筒に設けられ前記外ピンを介して前記内ピンを常時回動軸心へ押圧付勢するばね手段と、を備え、
前記通常状態および前記変換状態では、前記内ピンと前記外ピンとが前記内筒キャップと前記内筒ヘッドとの境界で接合し、前記コンス状態では、前記外ピンが前記第１挿通孔に進入するように構成されたことを特徴とする、
請求項１記載のレバータンブラ式シリンダ錠。
【請求項３】
前記第２断接手段は、
前記内筒テールと前記内筒ボトムとの間に設けたチェンジプレートと、前記外筒に固定され、前記内筒テールの回動は許容するが、前記チェンジプレートが係合したときには前記チェンジプレートを拘束するバックプレートと、前記内筒テールの中心に設けられ前記チェンジプレートを常時前記内筒ボトムへ押圧付勢するばね部材と、を備え、
前記通常状態および前記コンス状態では、前記チェンジプレートを介して前記内筒ボトムと前記内筒テールとは連結され、前記変換状態では、前記ばね部材の付勢力に抗して強制的に前記内筒ボトムから離反する前記チェンジプレートにより前記内筒ボトムの前記内筒テールに対する連結が遮断されるように構成されたことを特徴とする、
請求項１記載のレバータンブラ式シリンダ錠。
【請求項４】
前記内筒ボトムの回動軸から偏倚した位置に、前記チェンジプレートに片当たりするピンを設け、
前記変換状態にされたときに、前記ピンに係止される前記チェンジプレートが傾斜した状態で前記内筒ボトムと前記バックプレートとの間に係合することにより、前記内筒ボトムおよび前記内筒テールの回動がロックされるように構成されたことを特徴とする、
請求項３に記載のレバータンブラ式シリンダ錠。
【請求項５】
前記内筒アッシィに前記内筒ヘッドおよび前記内筒テールの間に亘って延在するコンスプレートを設け、
該コンスプレートの端部を、前記内筒ヘッドおよび前記内筒テールに形成したカム部に係合しうるように構成されたことを特徴とする、
請求項１〜４のいずれかに記載のレバータンブラ式シリンダ錠。
【発明の詳細な説明】
【技術分野】
【０００１】
本発明は、マンション、アパート、オフィス等の錠前として適用されるレバータンブラ式シリンダ錠に係り、殊に入居者用キー、メモリーキー、およびコンスキーを相互に用いてドアを施解錠する好適なレバータンブラ式シリンダ錠に関する。
【背景技術】
【０００２】
従来、いわゆるレバータンブラ式シリンダ錠に関する技術として、特許文献１〜特許文献４に記載のものがある。上記の各特許文献１〜４に記載された技術は、シリンダ錠の外筒に収納された回動自在の内筒に、歯部を有する内タンブラと、この歯部に係合する外タンブラとをそれぞれ所定の軸回りに揺動するように設け、上記内タンブラを特許文献３の固定プレート（後述する本発明の「マスタープレート」に対応）に係合させるように構成する。係る構成により、入居者が入れ替わったときでも、シリンダ錠を取り替え交換することなく、管理者が管理するキーと、入居者に渡されて使用するキーとの相互間で、ドアの施解錠を制約を受けることなく行うことができるものである。
【特許文献１】特開平７−２０７９９５号公報
【特許文献２】特開平７−２２９３３３号公報
【特許文献３】特開平１１−１１７５８４号公報
【特許文献４】特開２００３−３７０３号公報
【発明の開示】
【発明が解決しようとする課題】
【０００３】
しかしながら、上記特許文献１〜４に記載のレバータンブラ式シリンダ錠にあっては、管理者用キーとしてのメモリーキーと居住者用（入居者）キーとしての子キーとの相互間でドアの施解錠を行う態様のものであるが、工事業者等が専用に使用するコンスキー（「コンスキー」とは、「コンストラクションキー」の略）も使用することで、三種類のキーを相互に使用して、シリンダ錠を取り替え交換することなく施解錠が行える態様のレバータンブラ式シリンダ錠ではない。
【０００４】
本発明は、入居者の子キー操作による施解錠を可能とする通常状態と、室内の工事、清掃、修繕等を行う工事業者が、専用のコンスキーを用いて外タンブラを固定して施解錠を可能とするコンス(「コンス」とはコンストラクション（作業等）の略語である)状態と、管理者のキー操作による登録された物件すべてのシリンダ錠をリセットする変換状態との３つの状態を状態変化させることのできるレバータンブラ式シリンダ錠を提供することを目的とする。
【課題を解決するための手段】
【０００５】
（１）本発明は、タンブラ要素を軸支する仕切り板を長手軸線に沿って並列配置した内筒と、該内筒の一端に設けた内筒キャップと、該内筒の他端に設けた内筒ボトムとをユニット化した内筒アッシィを、外筒に回動可能に収納されたレバータンブラ式シリンダ錠であって、入居者の子キーによる通常状態と、管理者のメモリーキーによる変換状態と、工事業者のコンスキーによるコンス状態とに状態変化が可能な機能を具備することを特徴とするレバータンブラ式シリンダ錠である。
【０００６】
本発明によれば、通常状態と、変換状態とに加えて、コンス状態との間でも状態変換を行ってレバータンブラ式シリンダ錠を施解錠することができる機能を具備したので、入居者の入れ替わりによるキーの交換を、シリンダ錠を取り替えすることなく、そのまま使用できるので、手間、費用を低減できる利点がある。
【０００７】
（２）本発明はまた、タンブラ要素を軸支する仕切り板を長手軸線に沿って並列配置した内筒と、該内筒の一端に設けた内筒キャップと、該内筒の他端に設けた内筒ボトムとをユニット化した内筒アッシィを、外筒に回動可能に収納されたレバータンブラ式シリンダ錠であって、前記内筒キャップに外挿され該内筒キャップと前記外筒との間で相対回動する内筒ヘッドと、前記内筒ボトムに相対回動可能に対向配置された内筒テールと、前記内筒ヘッドの前記内筒アッシィに対する連結を断接する第１断接手段と、前記内筒テールの前記内筒アッシィに対する連結を断接する第２断接手段とを具備し、入居者の子キーによる通常状態では、前記内筒アッシィと前記内筒テールとが、管理者のメモリーキーによる変換状態では、前記内筒のみが、および工事業者のコンスキーによるコンス状態では、前記内筒アッシィと内筒ヘッドと内筒テールとが、それぞれ回動しうるように構成されたことを特徴とするレバータンブラ式シリンダ錠である。
【０００８】
本発明によれば、レバータンブラ式シリンダ錠に第１断接手段と、第２断接手段とを設けたので、これらの断接機能により、通常状態では内筒アッシィと内筒テールとを、変換状態では内筒ヘッドだけを、コンス状態では内筒アッシィ、内筒ヘッド、および内筒テールのすべてを外筒内で回動する。これにより、入居者、管理者、工事業者の相互間で一個のレバータンブラ式シリンダ錠でドアを適宜に施解錠でき、部屋の管理を効率的に行うことが可能となる。
【０００９】
（３）本発明はまた、前記第１断接手段は、前記内筒アッシィに設けた第１挿通孔と、該第１挿通孔にスライド可能に収容した内ピンと、前記内筒ヘッドに設けた第２挿通孔と、該第２挿通孔にスライド可能に収容した外ピンと、前記外筒に設けられ前記外ピンを介して前記内ピンを常時回動軸心へ押圧付勢するばね手段とを具備し、前記通常状態および前記変換状態では、前記内ピンと外ピンとが前記内筒キャップと前記内筒ヘッドとの境界で接合し、前記コンス状態では、前記外ピンが前記第１挿通孔に進入するように構成されたことを特徴とする前記(２)記載のレバータンブラ式シリンダ錠である。
【００１０】
本発明によれば、第１断接手段を設けたことにより、コンス状態でコンスキーを挿入すると、内ピンがコンスキー方向へ若干量だけストロークするので、外ピンは第１挿入孔へ進入して第２挿入孔との間に跨ることとなる。これにより、内筒ボトムと内筒ヘッドとが機械的に連結し、内筒アッシィと一体に内筒ヘッドも同期回動できるように制御することができる。
【００１１】
（４）本発明はまた、前記第２断接手段は、前記内筒ボトムと、前記内筒テールと、前記内筒テールと前記内筒ボトムとの間に設けたチェンジプレートと、前記外筒に固定され、前記内筒テールの回動は許容するが、前記チェンジプレートが係合したときにはチェンジプレートを拘束するバックプレートと、前記内筒テールの中心に設けられ前記チェンジプレートを常時前記内筒ボトムへ押圧付勢するばね部材とを具備し、前記通常状態およびコンス状態では、前記チェンジプレートを介して前記内筒ボトムと前記内筒テールとは連結され、前記変換状態では、前記ばね部材の付勢力に抗して強制的に内筒ボトムから離反する前記チェンジプレートにより前記内筒ボトムの前記内筒テールに対する連結が遮断されるように構成されたことを特徴とする前記(２)記載のレバータンブラ式シリンダ錠である。
【００１２】
本発明によれば、第２断接手段を構成するチェンジプレートが、内筒ボトムと内筒テールとの間に介在することで、チェンジプレートを介して両者間の機械的連結が適宜に断接させることができる。これにより、レバータンブラ式シリンダ錠を通常状態、変換状態、およびコンス状態の各状態間を最適に制御することができるようになる。
【００１３】
（５）本発明はまた、前記内筒ボトムの回動軸から偏倚した位置に、前記チェンジプレートに片当たりするピンを設け、前記変換状態にされたときに、前記ピンに係止される前記チェンジプレートが傾斜した状態で前記内筒ボトムと前記バックプレートとの間に係合することにより、前記内筒ボトムおよび前記内筒テールの回動がロックされるように構成されたことを特徴とする前記(２)〜(４)のいずれかに記載のレバータンブラ式シリンダ錠である。
【００１４】
本発明によれば、内筒ボトムにチェンジプレートに片当たりするピンを設けたので、メモリーキーによる変換状態における操作時には、メモリーキーで例えば１８０°右回りへ回動したときに、チェンジプレートは傾斜した状態で内筒ボトムと内筒テールとの間に跨って機械的に連結する。これにより、メモリーキー以外の他の子キーやコンスキーでは内筒アッシィ等の回動がロックされているので、メモリーキー以外ではシリンダ錠を元の状態へ回動復帰させることができない。これにより、部屋を最適に管理できるようになる。
（６）本発明はまた、前記内筒アッシィに前記内筒ヘッドおよび前記内筒テールの間に亘って延在するコンスプレートを設け、該コンスプレートの端部を、前記内筒ヘッドおよび前記内筒テールに形成したカム部に係合しうるように構成されたことを特徴とする前記(２)〜(５)のいずれかに記載のレバータンブラ式シリンダ錠である。
【００１５】
本発明によれば、通常状態では、内筒テールは内筒アッシィと同期して回動し、内筒ヘッドは停止した状態にあるので、コンスプレートは内筒ヘッドのカム部にガイドされて外タンブラの動きを拘束する。これにより、コンスキーによるドアの施解錠を自由に行うことができるようになる。
【発明の効果】
【００１６】
本発明は、レバータンブラ式シリンダ錠に、通常状態と変換状態の機能の他に、コンス状態の機能も付加することで、居住者および管理人だけでなく、工事業者もドアを施解錠することができ、且つ、入居者の入れ替わりによるキー交換を、シリンダ錠を取り替えすることなく、そのまま行え、手間を要しないコスト安価なレバータンブラ式シリンダ錠を得ることができる。
【発明を実施するための最良の形態】
【００１７】
本発明の実施形態に係るレバータンブラ式シリンダ錠（以下、単に「シリンダ錠」ともいう）を図面に基づいて説明する。本実施形態のシリンダ錠は上記特許文献３記載のシリンダ錠とその基本形態および作動においてほぼ共通するが、本実施形態では後述する第１断接手段と、第２断接手段とを設け、これにより前記シリンダ錠が、入室者の子キー操作により施解錠を可能とする通常状態と、工事業者等のコンスキー操作により前記外タンブラを固定して施解錠を可能とするコンス状態と、管理者のキー(マスターキー及び／又はチェンジキー)操作により施解錠を可能とする変換状態とに作動するように構成した点で特許文献３のものと構成を相違する。
【００１８】
以下では、先に本実施形態におけるシリンダ錠と共通する構成の概要を説明し、そのあとで上記特許文献等と相違する必須の構成要素である上記第１断接手段および第２断接手段に言及していくこととする。
【００１９】
図１は本実施形態におけるシリンダ錠１の縦断面図であり、シリンダ錠１は、図１および図２に示す外筒２を有し、外筒２の内部にはキー挿入側であるヘッドから順番に、図３の内筒キャップ３と、内筒キャップ３の外周部３ｇに設けられる図４に示す内筒ヘッド４と、内筒５と、図５に示す内筒ボトム６と、図６に示す内筒テール７と、図７に示されるように、該内筒テール７の出力軸部７ｄに嵌め込む穴８ａを有するバックプレート８とが組み込まれる。なお、バックプレート８は外筒２を蓋するように設けられるので外筒の一部として機能する。また、上記の内筒キャップ３は外周部３ｇを介して内筒ヘッド４に対して相対回動できるようになっている。
【００２０】
ここで、上記内筒５とは、複数個の仕切り板１０と、各仕切り板１０に装備される外タンブラ１１と内タンブラ１２とがセットになったタンブラ要素を組み込んだユニットを長手軸線Ｌに沿って並列に積層して配置して構成される回転体をいうものとする。また、内筒Ａｓｓｙ（内筒アッシィ）２５とは、上記内筒キャップ３と、内筒５と、内筒ボトム６との三者が後述するサイドプレート１３を介して一体に組み立てられ、後述する図１７で示すように一体回転できるようにユニット化された状態を指すものとする。
【００２１】
外筒２は図１および図２(ｃ)に示すように、長手軸線Ｌ方向で、かつ、１８０°の対称な位置に凹部２ａ，２ｂが設けられ、図１(ｂ)および図１２に示すロッキングバー９の外方端が填り込むようになっている。
【００２２】
内筒５は、長手軸線Ｌ方向に間隙を存して並列配置した仕切り板１０と、仕切り板１０に対し、図１(ｂ)に示されるように、軸１１ａを介して支持した外タンブラ１１および軸１２ａを介して支持した内タンブラ１２により形成されるタンブラ要素とを有する。
【００２３】
タンブラ要素１１，１２の一構成要素である外タンブラ１１は、図１(ｂ)に示すように、ほぼＵ字状に曲がった形状を基本形態とし、その内側に歯部１１ｂが、外側には突起部１１ｃおよび凹部１１ｄがそれぞれ形成される。突起部１１ｃは図１０に示す後述のコンストラクションプレート（以下、「コンスプレート」という）１４に係脱し、凹部１１ｄはロッキングバー９の内方端を進退可能とするものである。
【００２４】
内タンブラ１２は、外タンブラ１１よりも小型のほぼＵ字状に曲がった形状を有し、外タンブラ１１に内包される態様で組み込まれる。内タンブラ１２には、図９に示す後述のサイドプレート１３の内周に弾接する第１板バネ１２ｂと、後述するマスタープレート１５（図１１参照）に係脱する第２板バネ１２ｃとが設けられる。第１板バネ１２ｂにより、内タンブラ１２は図１(ｂ)において常時時計回りに回動するように付勢されるようになっている。
【００２５】
各仕切り板１０にタンブラ要素１１，１２が装備されて形成されるユニットは、相隣するユニットごと、すなわち、仕切り板１０ごとにタンブラ要素１１，１２が交互に向きを変えたパターンで取付られ、キー操作の左右いずれの回動に対しても適宜に作動できるようになっている。
【００２６】
仕切り板１０は図８に示すように、央部に入室者（入居者）用キー、工事業者用キー、および管理者用キーのすべてが挿通可能なキー穴１０ａと、長孔１０ｂと、内タンブラ１２の軸１２ａを回動可能に支持（軸支）する小孔１０ｃと、内タンブラ１２がキー穴１０ａを塞ぐのを規制する突状のストッパ部１０ｄと、耳部１０ｅと、上記のロッキングバー９の内方側をガイドする案内凹部１０ｆと、図１０に示すコンスプレート１４を保持（係合）させる左右対称に配設したコンスプレート用保持部１０ｇと、図１１に示されるマスタープレート１５を保持する左右対称に配設したマスタープレート用保持部１０ｈとが形成されている。
【００２７】
コンスプレート１４およびマスタープレート１５をそれぞれ左右対称な位置に設けることで、各仕切り板１０にタンブラ要素１１，１２を組み込んだユニットが、ユニットごとに交互に向きを変えて配置されるのに対応するようにしている。
【００２８】
タンブラ要素１１，１２が組み込まれる各仕切り板１０は、図９に示す形態を備えた一対のサイドプレート１３で両側から包むように保持される。このサイドプレート１３は円弧状に湾曲し、仕切り板１０を位置決めして保持する仕切り板用スリット１３ａが等間隔に刻設されている。また、これらスリット群のヘッド側には、内筒キャップ３を保持する内筒キャップ用スリット１３ｂが、テール側には内筒ボトム６を保持する内筒ボトム用スリット１３ｃがそれぞれサイドプレート１３に刻設される。
【００２９】
上記内筒キャップ３(図３参照)および上記内筒ボトム６(図５参照)の輪郭は、図８に示される仕切り板１０の外周形状とほぼ同じ形状に形成されている。すなわち、内筒キャップ３には、その央部にキー穴１０ａとほぼ同様のキー挿通用のキー穴３ａと、上記内筒キャップ用スリット１３ｂに係合可能な耳部３ｂと、上記仕切り板１０と同様に、コンスプレート１４（図１０参照）をスライド可能に保持するコンスプレート用保持部３ｃと、マスタープレート１５(図１１参照)をスライド可能に保持するマスタープレート用保持部３ｄとが形成される。
【００３０】
また、内筒ボトム６には、その央部に上記キー穴３ａや１０ａよりも形状が小さくキーの端部だけが係合する矩形状の穴６ａと、上記内筒ボトム用スリット１３ｃに係合可能な耳部６ｂと、コンスプレート１４をスライド可能に保持するコンスプレート用保持部６ｄとが形成される。
【００３１】
仕切り板１０の左右の耳部１０ｅを仕切り板用スリット１３ａに、また、内筒キャップ３の左右の耳部３ｂを内筒キャップ用スリット１３ｂに、さらに、内筒ボトム６の左右の耳部６ｂを内筒ボトム用スリット１３ｃにそれぞれ嵌め込んで係合できるようになっている。
【００３２】
これにより、各仕切り板１０と、仕切り板１０とタンブラ要素１１，１２でなるユニットを積層配列して形成される内筒５、内筒キャップ３，および内筒ボトム６は、左右両側からサイドプレート１３を包持する状態でアセンブリされて内筒アッシィが形成され、長手軸線Ｌ回りに回動可能なユニット体、すなわち、内筒アッシィが形成される。換言すると、係るユニット体はキー操作により外筒２内を長手軸線Ｌ回りに回動操作されることで、上記内筒アッシィ（内筒キャップ３，内筒５，内筒ボトム６のユニット体）、コンスプレート１４，およびマスタープレート１５等が一体に外筒２内を回動できるようになる。
【００３３】
外筒２に収納された上記ユニット体においては、外タンブラ１１を支持する軸１１ａの一端（キー挿入側）は、内筒キャップ３の長孔３ｄを貫通して内筒ヘッド４にまで達し、そこで内筒ヘッド４に形成した角状のガイド溝４ａに係合する。軸１１ａの他端は、内筒ボトム６の長孔６ｃを貫通して内筒テール７にまで達し、そこで内筒テール７に形成したガイド溝７ａに係合するようになっている。
【００３４】
上記ガイド溝４ａおよび７ａには、蛇行部４ｂおよび７ｂが設けられ、ユニット体が回動するとき、軸１１ａは蛇行部４ｂ、７ｂを乗り上げることで、各長孔３ｄ、６ｃ、１０ｂを中心側へ強制的に変位できるようになっている。一方、内タンブラ１２を支持する上記軸１１ａと平行配置される軸１２ａの一端は、内筒キャップ３に形成した皿穴３ｅで軸支され、同様に軸１２ａの他端は内筒ボトム６に形成した不図示の皿穴に軸支される。これにより、軸１２ａ、すなわち、内タンブラ１２は軸１２ａ回りを揺動できるようになっている。
【００３５】
コンスプレート１４およびマスタープレート１５は内筒５の中心から等距離の位置に装備され、それぞれの一端は内筒ヘッド４に設けた傾斜角約５０°のカム面を備えたカム部４ｃに、また、他端は内筒テール７に設けた傾斜角約５０°のカム面を備えたカム部７ｃに当接する。コンスプレート１４およびマスタープレート１５がカム部４ｃおよびカム部７ｃに相対回動することで、長手軸線Ｌ方向にシフト変位できるようになっている。これにより、コンスプレート１４に設けた折り曲げ爪１４ａが外タンブラ１１の突起部１１ｃに係脱することで、外タンブラ１１を固定位置と解放位置とに制御できる。また、マスタープレート１５に設けた折り曲げ爪１５ａが内タンブラ１２の第２板バネ１２ｃに係脱することで、内タンブラ１２を固定位置と解放位置とに制御できる。
【００３６】
また、ロッキングバー９は、図１２に示すように、両端の突起部９ａ、９ｂに設けた不図示のスプリングにより、外筒２の内周面に押圧される。なお、該スプリングは、内筒キャップ３に形成した孔部３ｆ(図３参照)と、内筒ボトム６の孔部６ｅ(図５参照)とに収納される。
【００３７】
本実施形態のシリンダ錠１は上記のように構成されるので、上記特許文献３記載のシリンダ錠とほぼ同様に作動する。その作動については、本発明の特徴ではないが、簡単に説明する。例えば、図１(ｂ)において、キーをシリンダ錠１に挿入して１８０°回動すると、サイドプレート１３でユニット化された内筒キャップ３，内筒５、および内筒ボトム６等が一体回動する。外タンブラ１１の軸１１ａは蛇行部４ｂ、７ｂを乗り上げ、これにより、外タンブラ１１は上方へ移動し、凹部１１ｄはロッキングバー９の内方端に係合し、外タンブラ１１は、ロッキングレバー９により動きが拘束される。
【００３８】
これにより、それまで噛合していた内タンブラ１２が外タンブラ１１との係合から解放されてフリーな状態となり、揺動が可能となる。このように、例えば、新たな任意のキー山を有するキーを挿入することで、挿入されたキー山に設定が可能となる。すなわち、この状態から再び別の新たなキーを挿入して逆転させ、図１(ｂ)に示す状態へ１８０°回動させて戻すと、外タンブラ１１はロッキングバー９との係合から解放され、外タンブラ１１と内タンブラ１２の噛合位置が新しいキーの山に対応した新たな位置に変更され、その新たなキー山に応じたキーコードに変換することができ、シリンダ錠１を新たなキーで施解錠できる。
【００３９】
次に、上記で説明した概要構成を有するシリンダ錠１に具備される本発明の必須の構成要素である第１断接手段１６(クラッチ手段)を、図１(ａ)、図２〜図４，図１３〜図１６を参照して詳述する。なお、図１４，図１５におけるハッチング部は内筒キャップ３を示す。
【００４０】
第１断接手段１６が装備される概要部位は、図１(ａ)に示すように、シリンダ錠１のヘッド側（キー挿入側）に位置する。第１断接手段１６は、図３に示す内筒キャップ３にキー穴３ａにほぼ直交し、かつ、中心点を通るように設けた第１挿通孔３ｈと、第１挿通孔３ｈに挿入される図１３(ａ)、同図(ｂ)に示される第１ピンとしての内ピン１７と、内筒キャップ３の外周部３ｇに設けられる内筒ヘッド４が有する凹部４ｄおよび外筒２の内壁面の間で協働して形成される第２挿通孔１８と、第２挿通孔１８に挿入される図１３(ｃ)、(ｄ)に示す第２ピンとしての外２ピン１９と，外筒２に設けた第３挿通孔２ｃと、第３挿通孔２ｃに挿入され、前記外ピン１９に当接する図１３(ｅ)、同図(ｆ)に示す冠状のドライバピン２０と、第３挿通孔２ｃに縮設された弾性手段であるバネ２１とで形成される。なお、符号２ｄは外筒２に被着されるカバーを示す。
【００４１】
第１ピン１７には、その下端に尖頭部１７が設けられ、上方には主体部１７ｂから若干幅広の幅広部１７ｃを形成している。主体部１７ｂと幅広部１７ｃとの境界に段差部１７ｄが設けられる。また、内ピン１７の上端には、わずかな円弧をなす曲面部１７ｅが形成され、内筒ヘッド４の内周面４ｅに摺接するようになっている。こうして、第１断接手段１６における第１挿通孔３ｈおよび第２挿入孔１８が直列に連続する状態で、かつ、図１４(ａ)に示すキー穴３ａにキーを差し込んでいない場合には、バネ２１の弾性力によりドライバピン２０および外ピン１９を介して段差部１７ｄが第１挿通孔３ｈの段差部３ｊに係合する位置まで中心方向へスライドして、内ピン１７は停止するようになっている。
【００４２】
図１６は本実施形態に使用される各種のキーに係り、(ａ)は入居者が使用する子キー２２を、(ｂ)は工事業者が使用するコンスキー２３を、(ｃ)は登録された物件すべてのシリンダ錠１側のキー山の記憶をリセットするメモリーキー２４を示す。各キーのブランクの軸長Ｄ１は同じ寸法を有し、メモリーキー２４のみがその先端に突出部２４ａが形成され、その長さ寸法Ｄ２だけ軸長が他のキーよりも長くなっている。また、コンスキー２３には、凹部２３ａが刻設されている。コンスキー２３をキー穴に挿入してそのストッパ部２３ｂが内筒キャップ３に押し当てられたときに、上記内ピン１７の尖端部１７ａが凹部２３ａに係合（当接）するようになっている。なお、図１６では、各キーにおけるキー山およびそれらの把持部の図示は割愛している。
【００４３】
子キー２２あるいはメモリーキー２４を、図１４(ａ)のようにキー穴に差し込んだ場合には、内ピン１７の尖頭部１７ａがキー２２あるいは２４に当接して乗り上げ、上記の両段差部１７ｄ、３ｊはバネ２１の弾性力に抗して強制的に上方へ浮き上がる。内ピン１７の曲面部１７ｅはほぼ内筒キャップ３の外周部３ｇの円弧面、すなわち、内筒ヘッド４の内周面４ｅに接する位置まで上昇する。一方、第２ピン１９も第１ピン１７に連動して第２挿入孔１８を上方へスライドし、その上端部１９ｂは第３挿通孔２ｃに進入して固定側の外筒２に係合するように構成される。
【００４４】
図１４(ａ)において、キー２２あるいは２４の施解錠操作により、例えば、時計回りの回動トルクが内筒アッシィ、換言すると内筒キャップ３に作用すると、図１４(ｂ)に示すように、内筒ヘッド４は外筒２側に固定されているので、内ピン１７は外ピン１９から遮断され、内筒キャップ３（内筒アッシィ）だけが内筒ヘッド４に対して時計回りに回動する。また、反時計回りへ回動トルクが作用した場合も、同様にして内筒アッシィだけが回動する。これにより、前記シリンダ錠１は、通常状態を実現できるようになり、入居者の子キーあるいはメモリーキーの操作による施解錠を行える。
【００４５】
次に、図１５(ａ)のように、コンスキー２３を挿入した場合には、ドライバピン、外ピン１９を介して内ピン１７の尖頭部１７ａが凹部２３ａに落ち込んで押しつけられる。これにより、外ピン１９の下方は落ち込んだ分だけ第１挿通孔３ｈに進入するようにスライドする。その結果、外ピン１９を介して内筒キャップ３と内筒ヘッド４とが一体に接続される。一方、外ピン１０の上端部１９ｂは外筒２の第３挿入孔２ｃから後退し、外筒２の内周面に摺接可能な位置まで変位するように構成される。こうして、コンスキー２３による時計回りの回動トルクを作用させると、図１５(ｂ)のように内筒キャップ３は外ピン１９を介して内筒ヘッド４と同期して回動する。これによって、コンス状態を実現でき、工事業者等のコンスキーによる施解錠操作が可能となる。
【００４６】
したがって、第１断接手段１６によれば、子キー２２およびメモリーキー２４を使用する場合には、内筒キャップ３と内筒ヘッド４との連結が遮断されることで通常状態を実現でき、コンスキー２３を使用する場合には、内筒キャップ３と内筒ヘッド４との連結が接続され、コンスキー２３による内筒ヘッド４への回動トルクの伝達が可能となり、コンス状態を実現できるようになる。
【００４７】
次に、第２断接手段３０を図５〜図７、図１７、および図１８を参照して説明する。第２断接手段３０(クラッチ手段)は、図１７(ａ)に示すように、内筒アッシィ２５の左端面に接して設けた内筒ボトム６と、内筒テール７と、バックプレート８と、これら三者６〜８の間に設けたチェンジプレート３１と、コイルスプリング３２との部材から構成される。なお、符号３３はＣ型リングを示し、上記各部材６〜８，３１，３２等が外筒１から抜け出さないように位置決めするものである。
【００４８】
上記チェンジプレート３１は図１７(同図ではハッチングで表示した部分)および図１８に示すように、帯状板をＭ型に近似した形状に折り曲げたもので、主面部３１ａの両側に鋭角で折り曲げて形成した脚部３１ｂ、３１ｃを有し、一方の脚部３１ｂ寄りの主面部３１ａに切欠いた二個の切欠凹部３１ｄが形成される。主面部３１ａおよび鋭角を成す折り曲げ部３１ｅ、３１ｆは、内筒ボトム６に設けた着座部６ｆに、内筒ボトム６に突設された二本のピン６ｇをよぎるようにして装備される。主面部３１ａは内筒テール７の当接部７ｈに対向配置される。これにより、チェンジプレート３１は、内筒ボトム６と一体に回動しうるようにセットされ、かつ、主面部３１ａが当接部７ｈに係合するまでの間を、ピン６ｇにガイドされながら長手軸線Ｌ方向へ移動できるようになっている。
【００４９】
内筒テール７には、図６に示されるように、チェンジプレート３１の脚部３１ｂ、３１ｃを挿通する通路７ｅ，７ｆが形成される。
【００５０】
図７に示すバックプレート８は、内筒テール７の出力軸部７ｄを回動自在に保持する穴８ａと、チェンジプレート３１の脚部３１ｂ、３１ｃに係合可能な矩形状の角部８ｂが形成される。角部８ｂは、出力軸部７ｄにバックプレート８を嵌めたときに、該出力軸部７ｄとの間に係止穴が形成され、これに脚部３１ｂ、３１ｃが係止することでチェンジプレート３１の回動が拘束(ロック)されるようになっている。これにより、チェンジプレート３１の少なくともいずれか一方の脚部３１ｂ、３１ｃが上記通路７ｅ，７ｆを進入し、さらに、上記係止穴に係止することで、チェンジプレート３１、すなわち、内筒アッシィ２５の回動がロックされる。
【００５１】
内筒テール７の中心軸に設けた凹部７ｇに、チェンジプレート３１に係合するコイルスプリング３２が収容され、常時その付勢力によりチェンジプレート３１を内筒ボトム６側へ押圧している。
【００５２】
こうして、第２断接手段３０によれば、キーを挿入しない場合には、図１７(ａ)に示すように、内筒ボトム６はチェンジプレート３１を介して内筒テール７に係合している、換言すると、内筒ボトム６と内筒テール７とは結合しているので、回動トルクを伝達可能な接続状態にある。この状態でメモリーキー２４のような突出部２４ａを有しない子キー２２あるいはコンスキー２３を挿入して回動（施解錠）すると、内筒アッシィ２５、つまり、内筒ボトム６と一体に内筒テール７を同期回動させることができる。すなわち、通常状態としてキー操作による施解錠ができることとなる。
【００５３】
また、メモリーキー２４を挿入した場合には、図１７(ｂ)に示すように、突出部２４ａはチェンジプレート３１を押圧するので、チェンジプレート３１はコイルスプリング３２の付勢力に抗して強制的に当接部７ｈに当接される。このとき、ピン６ｇはチェンジプレート３１の切欠凹部３１ｄから解脱するため、内筒ボトム６の内筒テール７に対する連結が外される（遮断される）。これにより、メモリーキー２４の操作で図１７(ｄ)から同図(ｅ)またはその逆方向へ１８０°回動することができる。すなわち、メモリーキー操作により、内筒ボトム６を含む内筒アッシィ２５だけを回動させ、シリンダ錠１を変換状態にできる。
【００５４】
次に、メモリーキー２３を図１７(ｄ)から同図(ｅ)のように１８０°回動させてキーを抜いた場合、ピン６ｇはチェンジプレート３１に片当たりし、チェンジプレート３１の同図(ａ)の状態へ復帰するのを阻止するので、同図(ｂ)に示すようにコイルスプリング３２の付勢力とバランスして傾斜した状態に変位する。これにより、脚部３１ｅだけがバックプレート８の角部８ｂと内筒テール７との間に形成される上記係止穴にはまり込むので、チェンジプレート３１はバックプレート８を介して固定系である外筒１に連結される。
【００５５】
このため、子キー２２あるいはコンスキー２４等を挿入してシリンダ錠を操作しようとしても、内筒アッシィ２５はその回動がロックされているので、子キー等による施解錠操作を完全に阻止できる。したがって、かかる変換状態にある場合には、メモリーキー２３でのみしか操作ができないこととなる。
【００５６】
本実施形態に係るシリンダ錠１における通常状態、変換状態、およびコンス状態の作用を図１４〜図１７，図１９〜図２１を参照して説明する。なお、図１９は内筒ヘッド４，内筒アッシィ２５、および内筒テール７を展開して三者間の作動を模式的に示した作動説明図、図２０は通常状態を、図２１はコンス状態を説明する説明図である。
【００５７】
通常状態においては、図２０(ａ)に示すように、子キー(子カギ)２２をキー穴に挿入する。図１４に示す第１断接手段１６により、内筒ヘッド４は内筒アッシィ２５との連結が遮断され、内筒ヘッドの回動はロックされる一方で、図１７(ａ)のように第２断接手段３０により、内筒テール７はチェンジプレート３１を介して内筒アッシィ２５と連結され、一体回動可能な状態となっている。ここで、子キー２２で内筒アッシィ２５が回動すると、コンスプレート１４およびマスタープレート１５は回動しない内筒ヘッド４のカム部４ｃの傾斜面により、図１９に示すように内筒テール７側へスライドする。これにより、図２０(ｂ)のように折り曲げ爪１４ａは仕切り板１０側へ偏倚し、同図(ｃ)のように外タンブラ１１は折り曲げ爪１４ａとの係合から解放される。その結果、シリンダ錠１は子キーのキー山を記憶する編成になり、入居者は子キーを使用して施解錠を通常に行える、すなわち、内筒アッシィ２５および内筒テール７のみを回動させて施解錠を行う通常状態を実現できる。
【００５８】
次に、上記通常状態から変換状態へ変化させるときは、メモリーキー２４の挿入により、第１断接手段１６は上記通常状態の場合と同様に、内筒ヘッド４を外筒２側へ固定し、回動をロックする一方、図１７(ｂ)に示すように、チェンジプレート３１は内筒ボトム６との係合から外れる。これにより内筒アッシィ２５だけが回動することとなる。内筒ヘッド４および内筒テール７は回動しないので、図１９に示すように、コンスプレート１４は外タンブラ１１を解放する状態を保持し、マスタープレート１５は内筒テール７のカム部７ｃにより内タンブラ１２を解放する方向にシフトする。こうして、二つのタンブラ１１，１２がコンスプレートおよびマスタープレートに拘束されないフリーな状態となるので、メモリーキー２４により内筒アッシィ２５のみを回動させて行う変換状態を実現できる。
【００５９】
コンスキー２３使用によるコンス状態は、次のようにして行われる。上記の変換状態にされたシリンダ錠１をメモリーキーにより図１７(ａ)に示す通常状態へ復帰操作する。ここで、内タンブラ１２に干渉しないようにキー山を深く逃げるように形成されたコンスキー２３を挿入すると、図１５に示すように、第１断接手段１６により、内筒アッシィ２５の内筒ヘッド４は内筒キャップ３と連結し、第２断接手段３０により、内筒ボトム６は内筒テール７に連結する。これにより、コンスキー２３を回動すると、図２１(ｃ)に示すように、コンスプレート１４は内筒ヘッド４に偏倚して外タンブラ１１を固定する（同図(ａ)、同図(ｂ)参照）。そして、図１９に示すように、マスタープレート１５は内筒テール７に偏倚し、内タンブラ１２を固定する。内筒アッシィ２５、内筒ヘッド４、および内筒テール７すべてが一体に同期して回動する。こうして、コンスキー２３により、内筒アッシィ２５、内筒ヘッド４，および内筒テールのすべてが同期して一体的に回動させ、施解錠を行えるコンス状態を実現できる。
【００６０】
本実施形態によれば、退去前の入居者は子キーと前入居者変換キーである保管・管理用としてのメモリーキーとの二つのキーをセットで手渡すことで通常状態としてキーを使用できる。前入居者が部屋を退去する場合には、退去時の変換操作として、例えば、メモリーキーを１８０°だけ右側へ回動して、前入居者用の通常キー(子キー)の番号を消去して変換状態にして管理者に返す。キーの返却を受けた管理者側は新しい入居者用変換キーである別のメモリーキーで１８０°だけ左側へ回動復帰して、変換状態にあるシリンダ錠に新入居者用の通常キー(子キー)を挿入することで新しい番号を登録しておくことができる。新しい入居者が現れた場合には、係る処理を施した新入居者用の保管・管理用としてのメモリーキーと新しい子キーとをセットで渡すことで新入居の引き渡しができる。
【００６１】
そのため、入居者の入れ替わり時におけるキーの交換を、シリンダ錠をその都度取り替え交換することなくでき、部屋の管理を厳重に行えるだけでなく、手間と費用を低減できる利点がある。
【００６２】
また、本実施形態が具備するコンスキー機能は、変換状態にあるメモリーキーを一旦１８０°左側へ回動復帰した後でなければコンスキー使用による施解錠ができない。他方、コンス状態になると、工事業者等が自在にドアを施解錠して開閉できて便利である。
【００６３】
以上、本発明を実施形態により詳述してきたが、具体的な構成はこれらの実施形態に限られるものでなく、本発明の要旨を逸脱しない範囲の設計変更等も本発明の範囲に含まれるものである。
【００６４】
例えば、上記実施の形態では、タンブラ要素として外タンブラ１１と内タンブラ１２との二つのタンブラを設けた場合について説明したが、第３のタンブラを設けた態様、あるいは第４のタンブラを設けた態様のタンブラ要素であってもよい。
【産業上の利用可能性】
【００６５】
本発明は、マンション、アパート、貸しビル等のドア施解錠に使用するレバータンブラ式シリンダ錠として利用できる。
【図面の簡単な説明】
【００６６】
【図１】本発明の実施形態に係るレバータンブラ式シリンダ錠に係り、(ａ)は該シリンダ錠の縦断面図、(ｂ)は(ａ)のＡ−Ａ線における横断面図である。
【図２】同じく、シリンダ錠の外筒に係り、(ａ)は外観図、(ｂ)は縦断面図、(ｃ)は(ａ)の左側面図である。
【図３】同じく、内筒キャップに係り、(ａ)はその正面図、(ｂ)は側面図、(ｃ)は(ｂ)のＢ−Ｂ線における断面図である。
【図４】同じく、内筒ヘッドに係り、(ａ)はその正面図、(ｂ)は側面図、(ｃ)は(ａ)のＣ−Ｃ線における矢視断面図、(ｄ)は(ａ)のＣ１−Ｃ１における矢視部分断面図である。
【図５】同じく、内筒ボトムに係り、(ａ)はその正面図、(ｂ)は(ａ)のＫ−Ｋ線における断面図、(ｃ)は(ａ)のＤ−Ｄ線における断面図である。
【図６】同じく、内筒テールに係り、(ａ)はその正面図、(ｂ)は側面図、(ｃ)は(ａ)のＥ−Ｅ線における断面図である。
【図７】同じく、バックプレートに係り、(ａ)はその正面図、(ｂ)は側面図である。
【図８】同じく、仕切り板に係り、(ａ)はその正面図、(ｂ)は側面図である。
【図９】同じく、サイドプレートに係り、(ａ)はその正面図、(ｂ)は側面図、(ｃ)は(ａ)のＦ−Ｆ線における断面図である。
【図１０】同じく、コンスプレートに係り、(ａ)はその正面図、(ｂ)は側面図である。
【図１１】同じく、マスタープレートに係り、(ａ)はその正面図、(ｂ)は側面図、(ｃ)は(ａ)のＨ−Ｈ線における断面図である。
【図１２】同じく、ロッキングバーの三面図である。
【図１３】同じく、第１断接手段の構成要素に係り、(ａ)は内ピンの側面図、(ｂ)は内ピンの正面図、(ｃ)は外ピンの側面図、(ｄ)は外ピンの正面図、(ｅ)はドライバピンの平面図、(ｆ)はその正面図である。
【図１４】同じく、第１断接手段に係り、(ａ)は子キーあるいはメモリーキーを挿入した直後で回動させない状態を示すシリンダ錠の横断面図、(ｂ)は回動する状態を説明する横断面図である。
【図１５】同じく、第１断接手段に係り、(ａ)はコンスキーを挿入した直後で回動させない状態を示すシリンダ錠の横断面図、(ｂ)は回動する状態を説明する横断面図である。
【図１６】同じく、キーに係り、(ａ)は子キーの正面図、(ｂ)はコンスキーの正面図、(ｃ)はメモリーキーの正面図である。
【図１７】同じく、第２断接手段に係り、(ａ)は通常状態における部分縦断面図、(ｂ)はメモリーキーによる作動を説明する部分縦断面図、(ｃ)は内筒アッシィおよび内筒テールがロックされて回動できない状態を説明する部分縦断面図、(ｄ)は(ｂ)の側面図、(ｅ)は(ｃ)の側面図である。
【図１８】同じく、チェンジプレートに係り、(ａ)はその側面図、(ｂ)は平面図である。
【図１９】同じく、状態間の変化を説明する状態図である。
【図２０】同じく、通常状態における作動を説明する図で、(ａ)は子キーをキー穴に挿入した直後の状態を説明する横断面図、(ｂ)はシリンダ錠の縦断面図、(ｃ)は子キーの編成を変化した状態におけるシリンダ錠の横断面図である。
【図２１】同じく、コンス状態における作動を説明する図で、(ａ)はコンスキーを挿入する前のシリンダ錠の横断面図、(ｂ)はコンスキーを挿入した状態を示すシリンダ錠の横断面図である。
【符号の説明】
【００６７】
１  レバータンブラ式シリンダ錠
２  外筒
２ｃ  第３挿通孔
３  内筒キャップ
３ｈ  第１挿通孔
４  内筒ヘッド
４ｃ  カム部
５  内筒
６  内筒ボトム
６ｇ  ピン
７  内筒テール
７ｃ  カム部
８  バックプレート
８ｂ  角部
９  ロッキングバー
１０  仕切り板
１０ａ  キー穴
１１  外タンブラ
１２  内タンブラ
１３  サイドプレート
１４  コンスプレート
１５  マスタープレート
１６  第１断接手段
１７  内ピン  
１８  第２挿通孔
１９  外ピン
２０  ドライバピン
２１  コイルスプリング
２２  子キー
２３  コンスキー
２３ａ  凹部
２４  メモリーキー
２４ａ  突出部
２５  内筒アッシィ
３０  第２断接手段
３１  チェンジプレート
３１  主面部
３１ｂ、３１ｃ  脚部
３２  コイルスプリング
Ｌ  長手軸線
【図１】
0005286521.tif 000002
【図２】
0005286521.tif 000003
【図３】
0005286521.tif 000004
【図４】
0005286521.tif 000005
【図５】
0005286521.tif 000006
【図６】
0005286521.tif 000007
【図７】
0005286521.tif 000008
【図８】
0005286521.tif 000009
【図９】
0005286521.tif 000010
【図１０】
0005286521.tif 000011
【図１１】
0005286521.tif 000012
【図１２】
0005286521.tif 000013
【図１３】
0005286521.tif 000014
【図１４】
0005286521.tif 000015
【図１５】
0005286521.tif 000016
【図１６】
0005286521.tif 000017
【図１７】
0005286521.tif 000018
【図１８】
0005286521.tif 000019
【図１９】
0005286521.tif 000020
【図２０】
0005286521.tif 000021
【図２１】
0005286521.tif 000022